(57)【要約】無線通信環境において資源割当の方法は、第１のホップポートと周波数範囲間のマッピングを受取ることと、第２のアクセス端末を、実質的に同じ時間内に少なくとも同じ周波数範囲にマッピングされる第２のホップポートにマッピングするかどうかを決定することとを含み、前記決定は第１のホップポートに関係づけられた第１のアクセス端末に関連する特性の関数としてなされる。本方法は、第１のアクセス端末が空間分割多重接続（ＳＤＭＡ）を用いる候補であることを決定することと、第２のアクセス端末もＳＤＭＡを使う候補であるときに、第２のアクセス端末をマッピングし、第２のアクセス端末を第２のホップポートに関係づけることとをさらに含むかもしれない。【選択図】      図８
2009514451.tif 000002
【特許請求の範囲】
【請求項１】
第１のホップポートと周波数範囲間のマッピングを受取ることと、
第２のアクセス端末を、実質的に同じ時間の期間に少なくとも同じ周波数範囲にマッピングされる第２のホップポートに割り当てるかどうかを決定することとを備え、その決定が第１のホップポートに関係づけられた第１のアクセス端末に関連する特性の関数としてなされる、
無線通信環境において資源を割り当てるための方法。
【請求項２】
第１のアクセス端末が空間分割多重接続（ＳＤＭＡ）を用いる候補であることを決定することと、
第２のアクセス端末もＳＤＭＡを用いる候補であるときには、第２のホップポートをマッピングし、第２のアクセス端末を第２のホップポートに関係づけることとを、さらに備えた請求項１に記載の方法。
【請求項３】
第１のチャネルツリーがホップポートと周波数範囲間の複数のマッピングを含み、第１のチャネルツリーは第１のホップポートをさらに含み、第２のチャネルツリーがホップポートと周波数範囲間の複数のマッピングを含み、第２のチャネルツリーは第２のホップポートをさらに含む、請求項２に記載の方法。
【請求項４】
第１のアクセス端末がＳＤＭＡを用いる候補でないことを決定することと、
第２のホップポートのマッピングを妨げることとを、さらに備えた請求項１に記載の方法。
【請求項５】
第１のチャネルツリーが、第１のホップ置換にしたがってホップポートと周波数範囲間の複数のマッピングを含み、第２のチャネルツリーが、第１のホップ置換にしたがってホップポートと周波数範囲間の複数のマッピングを含む、請求項１に記載の方法。
【請求項６】
第１のアクセス端末が第１の空間的方向を有することを決定することと、
第２のアクセス端末が第２の空間的方向を有することを決定することと、
第１のアクセス端末を第１の期間に関して第１のホップポートへマッピングすることと、
第２のアクセス端末を第１の期間に関して第２のホップポートへマッピングすることとを、さらに備えた請求項５に記載の方法。
【請求項７】
第１のアクセス端末を第１ンチャネルツリーの第１の複数のホップポートに関係づけることと、
第２のチャネルツリーの第１の複数のホップポートへの第３のアクセス端末の関係づけを妨げることとを、さらに備えた請求項６に記載の方法。
【請求項８】
第３のアクセス端末がダイバーシチモードで動作していることを決定することをさらに備え、妨げることが、第３のアクセス端末がダイバーシチモードで動作しているとき関係づけを妨げることを含む、請求項７に記載の方法。
【請求項９】
各ホップポートが、周波数の１つの範囲へマッピングされ、方法が
第１の複数のホップポートを周波数の前記範囲内の周波数へランダムにマッピングすることと、
第２の複数のホップポートを周波数の前記範囲内の周波数へランダムにマッピングすることとを、さらに備えた請求項７に記載の方法。
【請求項１０】
第１のアクセス端末から第１の方向を示す量子化した値を受信することと、
第１のアクセス端末を、量子化した値に基づいて第１のホップポートに関係づけることとを、さらに備えた請求項６に記載の方法。
【請求項１１】
量子化された値がコードブックから選択される、請求項１０に記載の方法。
【請求項１２】
第１のアクセス端末からチャネル情報を受信することをさらに備え、決定することがチャネル情報に基づいて決定することを含む、請求項１に記載の方法。
【請求項１３】
チャネル情報がチャネル品質指標を含む、請求項１２に記載の方法。
【請求項１４】
２つのアクセス端末がＯＦＤＭ／ＯＦＤＭＡ環境においてＳＤＭＡを用いる候補であるかどうかに関する情報を含むメモリーと、
２つのアクセス端末がＳＤＭＡを用いる候補である場合、実質的に同じ時にセクタ内の実質的に同じ周波数へマッピングされる２つのホップポートへ２つのアクセス端末を割り当てるプロセッサとを備えた無線通信装置。
【請求項１５】
第１のチャネルツリーが、ホップ置換にしたがって複数のホップポートと複数の周波数範囲間のマッピングを含み、プロセッサはホップ置換の関数として第２のチャネルツリーに関係づけられたマッピングを定義する、請求項１４に記載の無線通信装置。
【請求項１６】
プロセッサが順方向リンクに対してマッピングを実行する請求項１４に記載の無線通信装置。
【請求項１７】
プロセッサが２つのアクセス端末からパケットを受け取り、２つのアクセス端末がパケット毎ベースでＳＤＭＡを用いる候補であるかどうかを決定する、請求項１４に記載の無線通信装置。
【請求項１８】
プロセッサがアクセスポイントと２つのアクセス端末間の通信を実行するために用いられる複数の送信アンテナに関係づけられている、請求項１４に記載の無線通信装置。
【請求項１９】
第１のアクセス端末および第２のアクセス端末がＳＤＭＡを用いる候補であることを決定するための手段と、
第１のアクセス端末を第１のホップポートに、および第２のアクセス端末を第２のホップポートに割り当てるための手段とを備え、第１および第２のホップポートが実質的に同じ時間-周波数資源にマッピングされる、
無線通信環境において周波数資源を管理するための装置。
【請求項２０】
第１のホップポートと時間-周波数資源間のマッピングを含む第１のチャネルツリーを解析するための手段と、
第２のチャネルツリーの第２のホップポートと時間-周波数資源間のマッピングを定義するための手段とを、さらに備えた請求項１９に記載の装置。
【請求項２１】
第１のアクセス端末に関係づけられた第１の空間的方向を表す量子化した値に関する情報を含むコードブックを保持するための手段と、
第１のチャネルツリーおよび第２のチャネルツリーに関係づけられたマッピングを、前記量子化した値の関数として定義するための手段とを、さらに備えた請求項１９に記載の装置。
【請求項２２】
第３のアクセス端末がＳＤＭＡを用いる候補ではないことを決定するための手段と、
第３のアクセス端末が他のアクセス端末と時間-周波数資源を共有しないことを確実にするための手段とを、さらに備えた請求項１９に記載の装置。
【請求項２３】
第１の複数のホップポートを周波数の１つの範囲内の周波数のセットへマッピングするための手段と、
第１の複数のホップポート内のホップポートおよび第２の複数のホップポート内の対応するホップポートが周波数の前記セット内の対応する周波数へマッピングされるように、第２の複数のホップポートを周波数の前記範囲内の周波数の前記セットへマッピングするための手段とを、さらに備えた請求項１９に記載の装置。
【請求項２４】
第１の複数のホップポートを周波数の１つの範囲内の周波数のセットへランダムにマッピングするための手段と、
ホップポートの第１のセットおよびホップポートの第２のセットの中の対応するホップポートが実質的に同じ周波数にマッピングされないように、ホップポートの第１のセットに対応する第２の複数のホップポートを周波数の前記範囲内の周波数の前記セットへランダムにマッピングするための手段とを、さらに備えた請求項１９に記載の装置。
【請求項２５】
第１のアクセス端末がＳＤＭＡを用いる候補であることを決定することと、
第１のアクセス端末を、第１のチャネルツリーの１つ以上の周波数トーンにマッピングされる１つ以上のホップポートに割り当てることと、
第２のアクセス端末がＳＤＭＡを用いる候補であることを決定することと、
第２のアクセス端末を１つ以上のホップポートに割り当てることと、
第２のアクセス端末に割り当てられた１つ以上のホップポートを、第２のチャネルツリーの第１のアクセス端末に割り当てられた１つ以上のホップポートにマッピングされた周波数トーンにマッピングすることとのための、格納された計算機実行可能な命令を有する計算機可読媒体。
【請求項２６】
第１のアクセス端末と第２のアクセス端末が時間-周波数資源を共有できるように、第１のアクセス端末が第２のアクセス端末と空間的に十分な距離分離されていることを決定するための命令をさらに備えた、請求項２５に記載の計算機可読媒体。
【請求項２７】
第３のアクセス端末がＳＤＭＡを用いる候補ではないことを決定することと、
第３のアクセス端末を第１のチャネルツリー内の１つ以上のホップポートに割り当てることと、
第３のアクセス端末に関係づけられた第１のチャネルツリー内のホップポートに対応する第２のチャネルツリー内のホップポートが本質的に異なるアクセス端末に割り当てられていないことを確実にすることとのための命令をさらに備えた、請求項２５に記載の計算機可読媒体。
【請求項２８】
第１のアクセス端末に関係づけられた１つ以上のホップポートを１つ以上の周波数トーンへランダムにマッピングすることと、
第２のアクセス端末に関係づけられた１つ以上のホップポートを１つ以上の周波数トーンへランダムにマッピングすることとのための命令をさらに備えた、請求項２７に記載の計算機可読媒体。
【請求項２９】
無線通信環境に対する特性を向上させるための命令を実行するプロセッサであって、命令が、
ＯＦＤＭ／ＯＦＤＭＡ環境で動作するように構成され、ＳＤＭＡを用いる候補である第１のアクセス端末をホップポートの第１のセットに関係づけることと、
ホップポートの第１のセットを周波数の１つの範囲にマッピングすることと、
ＯＦＤＭ／ＯＦＤＭＡ環境で動作するように構成され、ＳＤＭＡを用いる候補である第２のアクセス端末をホップポートの第２のセットに関係づけることと、
ホップポートの第１のセットおよびホップポートの第２のセットが周波数の前記範囲へ実質的に同じ時間にマッピングされるように、ホップポートの第２のセットを周波数の前記範囲へマッピングすることとを備えた、プロセッサ。
【請求項３０】
命令が、第１および第２のアクセス端末が空間的にしきい値距離分離されていることを確実にすることをさらに含む、請求項２９に記載のプロセッサ。
【発明の詳細な説明】
【技術分野】
【０００１】
以下の説明は一般に無線通信に関する。特に、無線通信システムにおける柔軟性のある通信方式に関する。
【背景技術】
【０００２】
移動機器へ、および移動機器からのデータ伝送を利用可能とするためには、頑健な通信ネットワークの利用が可能でなければならない。今日の移動ネットワークで利用される１つの特有の技術は、直交周波数分割変調または直交周波数分割多重（ＯＦＤＭ）である。ＯＦＤＭはアナログの搬送電磁信号をディジタル情報で変調し、例えば、ＩＥＥＥ８０２．１１ａ／ｇ  ＷＬＡＮ規格で利用される。ＯＦＤＭベースバンド信号（例えば、「サブバンド」）は多くの直交副搬送波を形成し、各副搬送波はそれ自身のデータによって独立して変調される。ＯＦＤＭの利点は、雑音をフィルタリングする容易さ、上りストリームおよび下りストリームの速度を変化させる能力（これは各目的に対して搬送波を増減して割り当てる方法で達成される）、周波数選択性フェージングの影響を緩和する能力、等々を含む。
【０００３】
従来のネットワークは、数が増加し続けるユーザを受け入れるための新技術に適応できなければならない。したがって、ネットワークのセクタ内の次元数を、実質的にデータ伝送品質に悪影響をおよぼすことなく、増加させることは重要である。ＯＦＤＭを利用する場合、データ通信に利用できるトーンは有限数であるため、次元を増加させることには問題があるかもしれない。空間分割多重接続（ＳＤＭＡ）は、時間-周波数資源を共有することによって次元数の増加を可能とする。例えば、第１のユーザおよび第２のユーザは、それらが十分な空間的距離を隔てている限り、単一のセクタにおいて同時に実質的に同じ周波数を利用できる。複数ビームを採用することにより、ＯＦＤＭ／ＯＦＤＭＡ環境においてＳＤＭＡが利用されるかもしれない。
【０００４】
特定的な一例において、ＯＦＤＭ／ＯＦＤＭＡ環境においてＳＤＭＡを可能にするためにビーム成形伝送が採用されるかもしれない。基地局に設置された複数の送信アンテナは、単一の送信アンテナを用いる伝送よりも狭い領域をカバーする複数の「ビーム」を利用するビーム成形伝送を構成するために用いられる。しかし、信号対干渉雑音比（ＳＩＮＲ）は複数ビームでカバーされた領域内で向上する。ビームでカバーされないセクタの部分はヌル領域と呼ばれるかもしれない。ヌル領域内に位置する移動機器は非常に低いＳＩＮＲを有するだろう。その結果、特性の劣化とおそらくはデータ損を引き起こすだろう。そのようなビームを利用することにより、十分な空間的距離を隔てられているユーザは実質的に同じ周波数で通信でき、それにより、セクタ内で用いることができる次元の数は増加する。しかし、ユーザがＳＤＭＡを用いることが望ましくない場合があるかもしれない。例えば、プレコーディングが要求される場合、またはチャンネルダイバーシチが要求される場合、特定の領域内のいくつかの移動機器については特性の劣化が生ずる。
【発明の開示】
【発明の概要】
【０００５】
以下に請求内容のいくつかの態様の基本的理解を提供するために簡略化した概要を述べる。この概要は広範な概観ではなく、また鍵となる／重要な要素を特定することまたは請求内容の範囲を正確に述べることを意図していない。唯一の目的は後で述べるより詳細な記述への準備として簡略な形でいくつかの概念を提示することである。
【０００６】
ここに説明されるのは、無線通信環境における順方向リンク上で、資源の割当を容易にするシステム、方法、装置、および製品である。ＳＤＭＡを用いるかもしれない特定のユーザまたはアクセス端末を示すコードブックが保持されるかもしれない。コードブックの解析に基づいて、第１および第２のチャネルツリーが維持される。ここで、ＳＤＭＡを用いるかもしれないアクセス端末は本質的に異なるチャネルツリー上のホップポートに関係づけられる。これは、本質的に異なる複数のアクセス端末が時間周波数資源を共有することを可能にする。ＳＤＭＡを用いる候補ではないアクセス端末に関しては、そのようなアクセス端末は、第１のチャネルツリーに割り当てられ、かつ第２のチャネルツリー上のホップポートにマッピングされない周波数範囲にマッピングされるホップポートに関係づけられるかもしれない。
【０００７】
例えば、無線通信環境において資源を割り当てるための方法がここに説明される。この方法は、ホップポートの第１のセットと周波数範囲の間のマッピングを受取ることと、第２のアクセス端末を、実質的に同じ時間の期間に少なくとも同じ周波数範囲にマッピングされる第２のホップポートに割り当てるかどうかを決定することとを含み、その決定は第１のホップポートに関係づけられた第１のアクセス端末に関連する特性の関数としてなされる。本方法は、第１のアクセス端末が空間分割多重接続（ＳＤＭＡ）を用いる候補であることを決定することと、第２のアクセス端末もＳＤＭＡを用いる候補であるときには、第２のホップポートを同じ周波数範囲へマッピングし、第２のホップポートをマッピングし、第２のアクセス端末を第２のホップポートに関係づけることとをさらに含むかもしれない。第１のチャネルツリーは、第１のホップ置換にしたがってホップポートと周波数範囲との間の複数のマッピングを含むかもしれない。また、第２のチャネルツリーは、第１のホップ置換にしたがって、ホップポートと周波数範囲との間の複数のマッピングを含むかもしれない。本方法は、第１のアクセス端末が第１の空間的方向を有することを決定することと、第２のアクセス端末が第２の空間的方向を有することを決定することと、第１の期間に第１のアクセス端末を第１のホップポートにマッピングすることと、第１の期間に第２のアクセス端末を第２のホップポートにマッピングすることとを付加的に含むかもしれない。さらに、本方法は、第１のアクセス端末から第１の方向を示す量子化した値を受信すること、量子化した値に基づいて第１のアクセス端末を第１のホップポートへ関係づけることとを含むかもしれない。ここで量子化された値はコードブックから選択されるかもしれない。
【０００８】
さらに、２つのアクセス端末がＯＦＤＭ／ＯＦＤＭＡ環境においてＳＤＭＡを用いる候補であるかどうかに関する情報を格納したメモリーを含む無線通信装置がここに開示される。本装置は、２つのアクセス端末がＳＤＭＡを用いる候補である場合、２つのアクセス端末を１セクタ内で実質的に同じ時間に実質的に同じ周波数をマッピングされた２つのホップポートに割り当てるプロセッサをさらに含むかもしれない。一例において、第１のチャネルツリーは、ホップ置換に基づく複数のホップポートと複数の周波数範囲の間のマッピングを含むかもしれない。また、プロセッサは、ホップ置換の関数として第２のチャネルツリーに関係づけられるマッピングを定義するかもしれない。
【０００９】
さらに、無線通信環境における周波数資源を管理するための装置がここに説明される。本装置は第１のアクセス端末および第２のアクセス端末がＳＤＭＡを用いる候補であることを決定するための手段を含む。本装置は、第１のアクセス端末を第１のホップポートへ、および第２のアクセス端末を第２のホップポートへ割り当てるための手段をさらに含むかもしれない。前記第１および第２のホップポートは実質的に同じ時間-周波数資源にマッピングされる。本装置は、第２のチャネルツリーにおいて第２のホップポートと時間-周波数資源の間のマッピングを定義するための手段と同様に、第１のホップポートと時間-周波数資源の間のマッピングを含む第１のチャネルツリーを解析するための手段をさらに含むかもしれない。
【００１０】
さらに、コンピュータ可読媒体がここに開示される。そのような媒体は、第１のアクセス端末がＳＤＭＡを用いる候補であることを決定するためと、第１のチャネルツリーにおいて１つ以上の周波数トーンへマッピングされる１つ以上のホップポートへ第１のアクセス端末を割り当てるためと、第２のアクセス端末がＳＤＭＡを用いる候補であることを決定するためと、第２のアクセス端末を１つ以上のホップポートに割り当てるためと、第２のアクセス端末に割り当てられた１つ以上のホップポートを、第２のチャネルツリーにおいて第１のアクセス端末に割り当てられた１つ以上のホップポートへマッピングされた１つ以上の周波数トーンへマッピングするためとの命令を含む。
【００１１】
さらに、プロセッサがここに開示され、説明される。このプロセッサは、無線通信環境に対する性能を向上させるための命令を実行するプロセッサであり、その命令は、ＯＦＤＭ／ＯＦＤＭＡ環境で動作するように構成され、ＳＤＭＡを用いる候補である第１のアクセス端末をホップポートの第１のセットへ関係づけることと、ホップポートの第１のセットを周波数の１つの範囲にマッピングすることと、ＯＦＤＭ／ＯＦＤＭＡ環境で動作するように構成され、ＳＤＭＡを用いる候補である第２のアクセス端末をホップポートの第２のセットへ関係づけることであって、ホップポートの第１のセットおよびホップポートの第２のセットが実質的に同じ時間に周波数の前記範囲へマッピングされるように、ホップポートの第２のセットを周波数の前記範囲にマッピングすることとを含む。
【詳細な説明】
【００１２】
以上のおよび関連する目的達成のために、特定の例示的態様が以下の説明および添付図面と共にここに説明される。しかし、これらの態様は、請求内容の原理が用いられるかもしれない種々の方法のうちのわずかを示すものであり、請求事項はそのようなすべての態様とそれらの等価物を含むことが意図されている。他の利点および新規な特徴は、図面と関連して考察することにより、以下の詳細な説明から明らかになるかもしれない。
【００１３】
同じ参照番号は全体を通じて同じ部品を参照するために用いられる図面を参照して請求内容を説明する。請求内容の完全な理解を提供するために、以下の記述において説明の目的のために多くの具体的な詳細が説明される。しかし、そのような内容はこれらの具体的な詳細無しに実行されるかもしれないことは明白であるかもしれない。他の場合において、本発明の説明を容易にするために周知の構造と機器をブロックダイアグラムの形で示す。
【００１４】
さらに、種々の実施例がユーザ機器に関連してここに説明される。また、ユーザ機器はシステム、加入者ユニット、加入者局、移動局、移動機器、遠隔局、アクセスポイント、基地局、遠隔端末、アクセス端末、ユーザ端末、端末、ユーザエージェント、またはユーザ設備と呼ばれるかもしれない。ユーザ機器は、携帯電話、コードレス電話、セッション開始プロトコル（ＳＩＰ）電話、無線ローカルループ（ＷＬＬ）局、ＰＤＡ、無線接続可能な携帯機器、または無線モデムに接続された他の処理機器であるかもしれない。
【００１５】
さらに、請求内容の態様は、計算機を請求内容の種々の態様を実施するように制御するためのソフトウェア、ファームウェア、ハードウェア、またはそれらの任意の組合せ、を作り出す標準的プログラミングおよび／または工学的技術を用いる方法、装置、または製品として実施されるかもしれない。ここに用いられる用語「製品」はいかなる計算機可読機器、キャリアまたは媒体からもアクセス可能な計算機プログラムを包含するように意図されている。例えば、計算機可読媒体は、非限定的に、磁気記憶デバイス（例えば、ハードディスク、フロッピー（登録商標）ディスク、磁気帯…）、光ディスク（例えば、コンパクトディスク（ＣＤ）、ディジタル多用途ディスク（ＤＶＤ）…）、スマートカード、およびフラッシュメモリデバイス（例えば、カード、スティック、キードライブ…）を含むかもしれない。さらに、搬送波は、ボイスメールの送受信の際、またはセルラネットワークのようなネットワークにアクセスする際に用いられるような計算機可読電子データを搬送するために用いられるかもしれないことが理解されるべきである。当然、当業者は、ここに説明されることの範囲または精神から逸脱することなく、多くの変更がこの構成になされるかもしれないことを認識するだろう。
【００１６】
次に図面に移り、図１に一般に無線通信環境、特にＯＦＤＭ／ＯＦＤＭＡ環境において、順方向リンク上でＳＤＭＡを実施するための資源の割当を容易にするシステム１００を例示する。システム１００は、特定のセクタ内の複数のアクセス端末１０４−１０８からデータを受信できるコードブック生成器１０２を含む。アクセス端末１０４−１０８はセクタ内に分散されているかもしれない。例えば、コードブック生成器１０２はアクセス端末１０４−１０８へ向けてパイロット信号を提供し、アクセス端末１０４−１０８はチャンネル状態に関するデータ、例えばチャネル品質指標（ＣＱＩ）データを生成し、そのようなデータをコードブック生成器１０２へ提供するかもしれない。一例としてＣＱＩを示したが、アクセス端末１０４−１０８によって任意の適切なフィードバックデータがコードブック生成器に提供されるかもしれないことが理解される。このフィードバックに少なくとも一部基づいて、コードブック生成器１０２はアクセス端末１０４−１０８の各々がＳＤＭＡ、ダイバーシチ通信（チャネルダイバーシチ）、プレコーディング、その他の利用候補であるかどうかを決定することができる。
【００１７】
フィードバックを利用して、コードブック生成器１０２は、ユーザ機器をＳＤＭＡによってスケジューリングすることができる複数の部分を含むかもしれないコードブック１１０を利用または更新するかもしれない。例えば、第１の部分はビーム成形用重みを含むかもしれない。それにより、アクセス端末の第１のセットは、コードブックの他の部分または他のコードブックの他のビーム成形用重みについてスケジューリングされた他のアクセス端末に関連してＳＤＭＡに従ってスケジューリングされるかもしれない。特定的な例において、第１の部分に割り当てられたアクセス端末は時間-周波数資源を、第２の部分に割り当てられたアクセス端末と共有するかもしれない。そのようなアクセス端末は互いに十分な空間的距離を隔てているためである。対照的に、同じ部分の中に割り当てられた複数のアクセス端末は、それらの間でかなりの量の漏話を引き起こすこと無しには時間-周波数資源を共有できないかもしれない。コードブック１１０は、ＳＤＭＡの候補ではなく従ってセクタ内の他のアクセス端末と時間周波数資源を共有しない複数のアクセス端末１０４−１０８の中のアクセス端末をスケジューリングするためのビームに関する情報も含むかもしれない。例えば、ＳＤＭＡを用いる候補ではないアクセス端末または制御チャネルは、チャンネルダイバーシチ、プレコーディングのため、または放送データを受信するように構成されるかもしれないし、従って、コードブックのその部分にある他のアクセス端末と時間-周波数資源を共有するべきではない。特定的な例において、コードブック生成器１０２は、アクセス端末１０４−１０８からパケットを受信すると、コードブック１１０を更新するかもしれない（例えば、コードブック１１０は毎パケットベースで更新されるかもしれない）。
【００１８】
スケジューラ１１２はコードブック１１０を入力し、無線通信環境内の資源を割り当てるかもしれない。より詳細には、スケジューラ１１２は、アクセス端末１０４−１０８をホップポートにマッピングし、および／または、コードブック１１０の解析に基づいてホップ置換を割り当てるかもしれないし、さらにホップポートを特定の周波数にマッピングするかもしれない。特定的な例において、各ホップポートは１６トーンの周波数領域にマッピングされるかもしれない。ＳＤＭＡを無線通信システムの中で用いることを可能にするために、スケジューラ１１２は２つ以上の本質的に異なるチャネルツリーを解析するかもしれない。ここでチャネルツリーはポート空間の利用可能周波数領域へのマッピングである。チャネルツリーのベースノードはオーバラップ無しで隣接しているトーンに対応するかもしれない。それによって、チャネルツリーに関係づけられるアクセス端末間の直交性を保証する。２つ以上のチャネルツリーが同じ周波数領域に関係づけられている場合、本質的に異なるツリーに関係づけられているアクセス端末は、それらが時間-周波数資源を共有するような方法でスケジューリングされるかもしれない。
【００１９】
スケジューラ１１２は、２つ以上のチャネルツリーを、より詳細に以下に記述されるいくつかの本質的に異なる方法で利用することにより時間周波数資源を割り当てるかもしれない。簡潔に言えば、スケジューラ１１２は、アクセス端末を、第１のチャネルツリー上の周波数範囲にマッピングされるホップポートに割り当てるかもしれないが、アクセス端末を第２のチャネルツリー上の対応するホップポート（これらは同じ周波数範囲へマッピングする）に割り当てないかもしれない。このことは、ＳＤＭＡの候補ではないアクセス端末は時間-周波数資源を共有するようにスケジューリングされないため、これらのアクセス端末に関して、直交性維持の助けとなることを目的になされるかもしれない。また、スケジューラ１１２はＳＤＭＡの候補であるアクセス端末（コードブック１１０の最初の部分の中にある）を１つ以上のホップポートに割り当てるかもしれない。このホップポートは第１のチャネルツリーの特定の周波数範囲にマッピングされる。次に、ＳＤＭＡの利用候補である本質的に異なるアクセス端末（コードブック１１０の第２の部分の中にある）は、第２のチャネルツリー上の実質的に同じ周波数範囲にマッピングされるホップポートに関係づけられるかもしれない。
【００２０】
一例において、２つ以上のチャネルツリー内の周波数へのホップポートのマッピングはスケジュールされた置換の期間にランダムになされるかもしれない。この置換は、干渉ダイバーシチを生成する助けとなるかもしれないがスケーラビリティに逆に影響するかもしれない。別の例において、チャネルツリー内の周波数範囲へのホップポートのマッピングは正確に一致するかもしれない。例えば、与えられた置換において、第１のアクセス端末が第１のチャネルツリー上の第１のホップポートへ割り当てられる場合、対応するアクセス端末は第２のチャネルツリー上のホップポートの第２のセットへ割り当てられる。ここで、ホップポートの第２のセットは、ホップポートがマッピングされる周波数の点で、ホップポートの第１のセットに一致している。さらに、その対応するセット内のホップポートは対応する周波数へマッピングされるかもしれない。言い換えれば、ＳＤＭＡモードの候補ではないアクセス端末に関係づけられたホップポートを除き、チャネルツリーは互いに鏡映するかもしれない。さらに別の例において、チャネルツリー間での周波数範囲へのホップポートのマッピングは、一致性およびランダム性の組合せとして実施されるかもしれない。例えば、第１のアクセス端末が第１のチャネルツリー上のホップポートの第１のセットに割り当てられる場合、対応するアクセス端末は第２のチャネルツリー上の第２のセットのホップポートに割り当てられるかもしれない。ここでホップポートの第２のセットはホップポートがマッピングされる周波数の点でホップポートの第１のセットに一致している。しかし、ホップポートのセット内の個々のホップポートはランダムに周波数にマッピングされるかもしれない。したがって、ホップポートのセットがチャネルツリーの間で一致するのに対して、セット内の個々のホップポートは一致しないかもしれない。したがって、スケジューラ１１２は、アクセス端末１０４−１０８に関して通信のスケジュール１１４を決定することに関連してチャネルツリーの置換を利用するかもしれない。
【００２１】
図２を参照して、ＯＦＤＭ／ＯＦＤＭＡ無線通信環境内の順方向リンクに資源を割り当てることに関連して、利用されるかもしれない代表的チャネルツリー構造２００を例示する。ツリー構造２００は利用可能な周波数領域へのポート空間のマッピングを表す。ツリー構造２００のベースノード２０２−２１６は、同じツリー内でスケジューリングされたすべてのアクセス端末が直交性に結びつけられるように、オーバラップ無しで隣接しているトーンに対応するかもしれない。従来のＯＦＤＭ／ＯＦＤＭＡシステムにおいて、セクタ内の通信をスケジューリングするために単一のツリー構造が用いられるかもしれない。ここでチャネルツリー内のスケジューリングされたアクセス端末はチャンネル直交性に関係づけられるだろう。ＳＤＭＡの使用を可能にするために、複数のチャネルツリーが用いられるかもしれない。ここで、本質的に異なるツリー上のアクセス端末は実質的に同じ時間-周波数資源を利用するかもしれない。
【００２２】
図３に変わり、ツリー構造２００（図２）のベースノード２０２−２１６によって表される、ホップポートと周波数領域３００の間のマッピングの代表的な図式的表現を例示する。このマッピングは、ホップポートが本質的に異なる置換を与えられた種々の周波数範囲へのマッピングに従うかもしれないため、１つの特定の置換に対応するかもしれない。特に、このツリー構造２００は８個のベースノード２０２−２１６を含むかもしれない−従って、１ホップ置換中に、８個のホップポートは、利用可能な周波数領域内にある８個の異なる周波数範囲にマッピングされるかもしれない。より詳細には、ホップ置換の期間に、第１のホップポートは第３の周波数範囲（ｆｒ３）に、第２のホップポートは第１の周波数範囲（ｆｒ１）に、第３のホップポートは第６の周波数範囲（ｆｒ６）等々に、マッピングされるかもしれない。これらのマッピングはランダム、擬似ランダムに、または他の任意の適切な手段で割り当てられるかもしれない。さらに、マッピングは特定の時間間隔の間に、および／または置換スケジュールに従って再割当されるかもしれない。また、これらのマッピングは、チャネルツリー２００内のホップポートに関係づけられるアクセス端末が直交チャネルに関係し続けること（例えば、周波数範囲が直交性を保つような方法で生成されるかもしれない）を可能とすることが理解される。さらに、ツリーとして示されているが、無線通信環境におけるアクセス端末のスケジューリングを支援するために、チャネルツリー構造２００は行列の形式または他の適切な形式で保持されるかもしれないことが理解されるかもしれない。
【００２３】
図４を参照して、２つの本質的に異なるチャネルツリー上のアクセス端末の割当／スケジューリングの代表的な方法を、そのようなチャネルツリーのベースノードの表示４００および４０２を利用して示す。上で言及したように、ＳＤＭＡモード（例えば、放送送信を待っていない、プレコーディングをすることになっていない・・・）で動作するかもしれないアクセス端末の少なくとも２つのクラスタを含むコードブックが生成されるかもしれない。好ましいビームに関係づけられているＣＱＩのフィードバックによって、および好ましいビームのアクセス端末指標によって、これらのクラスタが生成されるかもしれない。従って、第１のクラスタのアクセス端末は第２のクラスタのアクセス端末と時間-周波数資源を共有するかもしれない。一方同じクラスタ内のアクセス端末は時間-周波数資源を共有するべきでない。
【００２４】
表示４００は第１のチャネルツリーのベースノードを表す。ここで、１つの特定の置換に関する利用可能な周波数領域内の周波数範囲とホップポートの間のマッピングが定義される。第１のチャネルツリーは主ツリーであるかもしれない。ここでＳＤＭＡモードで動作する候補ではないアクセス端末は、アクセス端末の第１のクラスタ内のアクセス端末と共にスケジューリング／割当される。このように、例えば、第１のアクセス端末（ＳＤＭＡモードで動作することになっている）は第１および第２のホップポート（ｈｐ１とｈｐ２）に割り当てられるかもしれない。これらのホップポートは置換のためにそれぞれ第３および第１の周波数範囲にランダムにマッピングされる。ここに用いられる用語「ランダムに」は、ホップポートの周波数範囲への擬似ランダムマッピングと同様に真にランダムなマッピングの双方を包含するように意図される。第２のアクセス端末（ＳＤＭＡモードで動作する候補ではない）は第３および第４のホップポート（ｈｐ３およびｈｐ４）と関係づけられるかもしれない。これらのホップポートはそれぞれ第６および第８の周波数範囲（ｆｒ６およびｆｒ８）にランダムにマッピングされるかもしれない。第３のアクセス端末（ＳＤＭＡモードで動作することになっている）は第５、第６、第７および第８のホップポート（ｈｐ５、ｈｐ６、ｈｐ７、およびｈｐ８）に関係づけられるかもしれない。これらのホップポートはそれぞれ第２、第７、第５および第４の周波数範囲（ｆｒ２、ｆｒ７、ｆｒ５、およびｆｒ４）にマッピングされるかもしれない。したがって、第１のチャネルツリーはＳＤＭＡモードで動作することになっていないアクセス端末と同様にＳＤＭＡモードで動作することになっているアクセス端末に関係づけられているホップポートを含むかもしれない。またホップポートの周波数範囲へのマッピングはランダムまたは擬似ランダムな方法で達成されるかもしれない。さらに、本質的に異なるユーザは、時間上で異なるホップポートに割り当てられるかもしれない。また、同じユーザは、ホップ置換後に本質的に異なる周波数にマッピングされたままに、ホップポートとの関係を維持するかもしれない。
【００２５】
表示４０２は第２のチャネルツリーのベースノードを表す。これはＳＤＭＡモードで動作することになっているアクセス端末に関する通信をスケジューリングするために用いられるかもしれない。特に、第２のチャネルツリーに関してスケジューリング／割り当てられたアクセス端末は、第１のチャネルツリーに関してスケジューリング／割り当てられたアクセス端末と時間-周波数資源を共有するかもしれない。例えば、ＳＤＭＡモードで動作することになっている第４のアクセス端末は第１０および第１１のホップポートに割り当てられるかもしれない。これらのホップポートは、利用可能な周波数領域内で第６および第８の周波数範囲（ｆｒ６およびｆｒ８）以外の適切な周波数範囲へランダムに割り当てられるかもしれない。第６および第８の周波数範囲はＳＤＭＡで動作していないアクセス端末のために第１のチャネルツリー上で予約されているからである。表示４０２において、第１０および第１１のホップポート（ｈｐ１０およびとｈｐ１１）はそれぞれ第２および第１の周波数範囲（ｆｒ２およびｆｒ１）へランダムにマッピングされる。ＳＤＭＡモードで動作することになっている第５のアクセス端末は第１２のホップポート（ｈｐ１２）に割り当てられるかもしれない。このホップポートは第７の周波数範囲（ｆｒ７）にランダムにマッピングされる。ＳＤＭＡモードで動作することになっている第６のアクセス端末はホップポート１４−１６に割り当てられるかもしれない。これらのホップポートはそれぞれ第５、第３、および第４の周波数範囲（ｆｒ５、ｆｒ３、およびｆｒ４）にランダムにマッピングされる。ホップポートと周波数範囲の間のこのランダムマッピングは、本質的に異なるチャネルツリーに関係づけられるアクセス端末は一致しないかもしれないため、ＳＤＭＡモードで動作しているアクセス端末に対して、順方向リンク上で干渉ダイバーシチを提供する。要するに、２つのチャネルツリーに関係づけられるホップポートは、ホップ置換の期間に、周波数範囲にランダムにマッピングされ、それにより干渉ダイバーシチを向上するかもしれない。
【００２６】
図５に変わり、２つのチャネルツリーを用いて資源を割り当てるための別の代表的な方法を示す。そのベースノードは図式的表示５００および５０２で表わされる。表示５００は第１のチャネルツリーのベースノードを表す。ここでホップポートと利用可能な周波数領域内の周波数範囲の間のマッピングは１ホップ置換に関して定義される。表示５００において、ホップポートのセットは特定のアクセス端末またはアクセス端末のセットに割り当てられるかもしれない。例えば、ホップポートのセット５０４は、第１のアクセス端末に割り当てられるかもしれない第１および第２のホップポート（ｈｐ１およびｈｐ２）を含むかもしれない。代表的な表示５００および５０２において、第１のアクセス端末はＳＤＭＡモードで動作する候補でない。ｈｐ１およびｈｐ２はそれぞれ第３および第１の周波数範囲（ｆｒ３およびｆｒ１）へランダムにマッピングされるとして表示されている。しかし、ホップポートの周波数範囲へのマッピングは、アクセス端末フィードバックの関数、アクセス端末の動作モード、または任意の他の適切なパラメータとして決定されるかもしれない。第２のアクセス端末（ＳＤＭＡモードで動作することになっている）は、ホップポートの第２のセット５０６に割り当てられるかもしれない。そのようなセット５０６はホップポート３−５（ｈｐ３、ｈｐ４、ｈｐ５）を含む。これらのホップポートはそれぞれ第６、第８、および第２の周波数範囲へマッピングされる。第１のチャネルツリーはホップポート６−８を含むホップポートのセット５０８に関連する情報をさらに含むかもしれない。これらのホップポートはＳＤＭＡモードで動作することになっている第３のアクセス端末に割り当てられる。ここでホップポートはそれぞれ第７、第５、および第４の周波数範囲（ｆｒ７、ｆｒ５、およびｆｒ４）にマッピングされる。
【００２７】
ＳＤＭＡモードはアクセス端末に関する時間-周波数資源の共有に関係するため、第２のチャネルツリー（そのベースノードは表示５０２で表される）が用いられるかもしれない。第２のチャネルツリーは、ホップ置換の期間に、オーバラップしている周波数上でアクセス端末をスケジューリングするために利用されるかもしれない。例えば、オーバラップしている周波数上のアクセス端末は、データの送受信に本質的に異なるビームを利用するかもしれない。そのようなビームは漏話のしきい値を保持する助けになるかもしれない適切なビームの決定は、１つ以上のアクセス端末に関係づけられた空間的サインに基づいてなされるかもしれない。表示５０２を再度参照して理解されるように、ホップポートのセットおよびマッピングは、表示５００内のホップポートのセットおよびマッピングに一致する。（例えば、２つのチャネルツリーのベースレベルのノードは、ＳＤＭＡモードのためにスケジューリングされていないアクセス端末に割り当てられたホップポートに関して以外は一致する。より詳細には、ホップポートの第４のセット５１０はホップポートの第１のセット５０４に一致している。しかし、ホップポートの第１のセット５０４はＳＤＭＡモードで動作することになっていないアクセス端末に関係づけられているため、ホップポートの第４のセットは周波数範囲にマッピングされず、その結果、アクセス端末を割り当てられない。ホップポートの第５のセット５１２はホップポートの第２のセット５０６に一致する。すなわち、ホップポートの第５のセット５１２は第１１、第１２および第１３のホップポートを含む。これらのホップポートは、ホップポートの第２のセット５０６内のホップポートがホップ置換の期間にマッピングされる周波数範囲へマッピングされる（例えば、第４のアクセス端末がホップポートの第５のセット５１２に関係づけられ、第２のアクセス端末と時間-周波数資源を共有する）。第１４、第１５および第１６のホップポート（ｈｐ１４，ｈｐ１５およびｈｐ１６）を含むホップポートの第６のセット５１４は、ホップポートの第３のセットに一致する（例えば、ホップポートの第６のセット５１４内のホップポートは、ホップポートの第３のセット５０８内のホップポートに関係づけられるマッピングに対応する周波数へマッピングされる）。より詳細には、ｈｐ１４、ｈｐ１５、およびｈｐ１６は、置換の期間にそれぞれｆｒ７、ｆｒ５、ｆｒ４へマッピングされる。ユーザを対応的にマッピングされたホップポートへ割り当てることはシステムのスケーラビリティを向上させるが、干渉ダイバーシチは悪影響を受けるかもしれない。
【００２８】
図６を参照して、２つのチャネルツリーを用いて無線通信環境において資源を割り当てる本質的に異なる方法を例示する。第１および第２のチャネルツリーのそれぞれのベースノードの表示６００および６０２を例示する。ここで、チャネルツリーは無線環境における通信をスケジューリングするためにスケジューラ１１２（図１）によって利用されるかもしれない。第１のチャネルツリーに関係づけられた表示６００は、ホップポートのセットが、アクセス端末に関係づけられ、またホップポートが各ホップ置換のためにスケジューラ１１２（図１）内で、ランダムにまたは適切なアルゴリズムによって周波数範囲に割り当てられるかもしれないことを示している。表示６００は実質的に図５の表示５００と同じであり、ホップポートの類似のセット（５０４−５０８）および周波数範囲への類似のマッピング含む。
【００２９】
しかし、第２のチャネルツリーのベースノードの表示６０２の中で示したマッピングは、本質的に異なる方法で生成される。第１のチャネルツリーに関係づけられるセット内のホップポートのマッピングと同一の対応する第２のチャネルツリーに関係づけられるセット内のホップポートのマッピングではなく、第２のチャネルツリーに関係づけられるセット内のホップポートのマッピングは、第１のチャネルツリー内の対応するセットに関係づけられる周波数範囲へランダムにマッピングされるかもしれない。より詳細には、表示６０２は、表示６００のホップポートの第１のセット５０４に対応する、ホップポートの第４のセット５１０を含むかもしれない。ホップポートの第１のセット５０４がＳＤＭＡモードで動作しないであろうアクセス端末に関係づけられているため、第４のセット５１０内のホップポートはマッピングされず、周波数範囲ｆｒ１およびｆｒ３は第１のアクセス端末によって単独に利用される。ホップポートの第５のセット５１２は、ホップポートの第２のセット５０６のｈｐ３−５に対応するｈｐ１１−１３を含む。ｈｐ３−５がそれぞれｆｒ６、ｆｒ８、およびｆｒ２に関係づけられるため、そのような周波数はｈｐ１１−１３にマッピングされるだろう。しかし、ｈｐ１１−１３はこれらの周波数範囲にランダムにマッピングされるかもしれない、−従って、例えば、ｈｐ１１はｆｒ８にマッピングされ、ｈｐ１２はｆｒ２にマッピングされ、およびｈｐ１３はｆｒ６にマッピングされるかもしれない。このように、ホップポートのセットへのユーザ割当は第１および第２のチャネルツリーの間で一致するかもしれないが、セット内のホップポートは周波数範囲にランダムに割り当てられるかもしれない。ホップポートのセット５１４は、ｆｒ５、ｆｒ４、およびｆｒ７にマッピングされるｈｐ１４−ｈｐ１６を含むかもしれない。ＳＤＭＡが望ましくは用いられる無線環境における資源割当てのこの方法は、ホップポート間の干渉ダイバーシチと同様にスケーラビリティを提供する。
【００３０】
図７に変わり、ＳＤＭＡが望ましくは用いられる無線通信環境における資源割当を達成するために用いられるかもしれない無線通信装置７００を例示する。装置７００はコードブックを保存および／または維持することができるメモリー７０２を含むかもしれない。上述したように、コードブックは、アクセス端末が特定の時間にＳＤＭＡを用いる候補であるかどうか（例えばパケット毎ベースで決定される）に関するデータを含むかもしれない。より詳細には、コードブックはアクセス端末に関係づけられる空間的方向を示す量子化した値を含むかもしれない。さらに、メモリー７０２は、例えばＯＦＤＭ／ＯＦＤＭＡ環境において通信をスケジューリングするために利用されるかもしれないチャネルツリーの内部表現を含むかもしれない。チャネルツリーはホップポートと周波数範囲の間のマッピングを含むかもしれない。ここで周波数範囲はＳＤＭＡモードでスケジューリングされたアクセス端末用に再利用されるかもしれない。さらに、種々のホップ置換に従って、マッピングは変更されるかもしれない。
【００３１】
この情報はプロセッサ７０４に提供されるかもしれない。続いてプロセッサ、無線環境における通信をスケジューリングするかもしれない。一例において、プロセッサ７０４は、第１のチャネルツリーを解析し、第１のチャネルツリーの内容に少なくとも一部基づいて第２のチャネルツリー内のマッピングを定義するかもしれない。例えば、第１のチャネルツリーの内容は第２のチャネルツリーの周波数範囲に関する制約の原因となるかもしれない。同様に、第２のチャネルツリーと同様に第１のチャネルツリーにおけるホップポートと周波数範囲の間の複数のマッピングを定義するために、ホップ置換が利用されるかもしれない。
【００３２】
別の例において、上で言及したように、アクセス端末は、パケット毎ベースで実質的に同じ時間-周波数資源を介して、ＳＤＭＡ次元にわたってスケジューリングされる。ＳＤＭＡ係数はプロセッサ７０４によって引き受けられた関数スケジューリングであるかもしれない。より詳細には、プロセッサ７０４は、１つ以上のアクセス端末を後続する伝送において実質的に同じ時間-周波数ブロックに対応するチャンネルに割り当てるかもしれない。多重化の次数はスケジューリングの間にプロセッサ７０４によって完全に制御されるかもしれない。ここで十分に分離されている複数のアクセス端末は１つのチャネル上で２重または３重にスケジューリングされ、他のアクセス端末は空間多重されないかもしれない。さらに別の例において、プロセッサ７０４は、ＳＤＭＡ動作可能なアクセス端末を周波数および時間にわたってランダムにオーバラップすることによる干渉ダイバーシチの最適化に関して用いられるかもしれない。プロセッサ７０４は時間-周波数資源全体を異なる多重化次数のセグメントに分割するかもしれない。多重化次数Ｎを持つセグメントに対してチャネルのＮ個のセットがあるかもしれない。ここで各セットは直交しているがセット間でオーバラップしている（図６を見よ）。セクタ内干渉ダイバーシチを最大にするために、オーバラップしているチャンネルは時間および周波数において異なるホッピングシーケンスを有するかもしれにない。
【００３３】
図８−１１を参照して、ＯＦＤＭ／ＯＦＤＭＡ環境においてＳＤＭＡを動作可能とするための資源割当に関係する手順を例示する。説明の簡単さのために、手順を一連の動作として示し説明しているが、請求内容に従って、いくつかの動作が、ここに示し説明する他の動作と異なる順序および／または同時に起こるかもしれないため、本手順が動作の順序に限定されないことが理解され、認識されるだろう。例えば、当業者は、手順が代替的に状態遷移図などの一連の相関的な状態またはイベントとして表され得ることを理解し、認識するだろう。さらに、例示されたすべての動作が、１つ以上の実施例に従って手順を実施するために利用されるわけではないかもしれない。
【００３４】
図８だけを参照して、無線環境の資源割当の手順８００を例示する。手順８００は８０２で始まり、８０４で、第１のホップポートと周波数範囲の間のマッピングが入力される。例えば、このマッピングは特定の置換後の第１のチャネルツリー内に存在するかもしれない。スケジューラはそれを入力するかもしれない（スケジューラはプロセッサに関係づけられるかもしれない）。さらに、ホップポートは、他のホップポートおよびそこへ割り当てられた周波数範囲と同様に、ホップポートに関係づけられるアクセス端末またはユーザに基づいて特定の周波数範囲にマッピングされる。８０６において、第１のホップポートに割り当てられたアクセス端末が解析される。例えば、フィードバックは特定のビーム、好ましいビーム等に対するＣＱＩに関してアクセス端末から受信されるかもしれない。さらに、図示していないが、他のアクセス端末からのデータも受信され解析されるかもしれない。
【００３５】
８０８において、アクセス端末がＳＤＭＡを用いる候補であるかどうかに関する決定がなされる。例えば、アクセス端末が放送データを待っているか、またはダイバーシチモードで動作している場合、そのようなアクセス端末はＳＤＭＡを用いる候補にならないだろう。同様に、アクセス端末がプレコーディングを要求している場合、そのようなアクセス端末は順方向リンクにおけるＳＤＭＡ使用の候補でないかもしれない。アクセス端末がＳＤＭＡ使用の候補でない場合、８１０において、他のホップポートは第１のホップポートがマッピングされる周波数範囲へマッピングされないだろう。このことは、アクセス端末によって利用されるチャンネルに関してチャンネルダイバーシチおよび直交性を確実にする。アクセス端末がＳＤＭＡ使用の候補である場合、８１２において、第２のホップポートは第１のホップポートがマッピングされる周波数範囲へマッピングされる。手順８００は８１４で完了する。
【００３６】
図９を参照して、無線通信環境における資源割当に関するコードブックの利用のための手順９００を例示する。手順９００は９０２で始まり、９０４においてセクタ内のアクセス端末へ１つ以上のパイロットシンボルが提供される。例えば、ＳＤＭＡモードで動作している場合、アクセス端末は好ましいビームを指示し（ＳＤＭＡクラスタから）、その好ましいビームに関係づけられたＣＱＩのフィードバックも行うかもしれない。ブロックホッピングモードで周期的にスケジューリングされるかもしれないＣＱＩパイロットチャネル（Ｆ−ＣＰＩＣＨ）は、物理的送信アンテナ上の広帯域周波数領域のチャネル応答を推定するために用いられるかもしれない。９０６において、コードブックはアクセス端末から入力したフィードバックに基づいて維持される。例えば、コードブックのエントリーからの信号品質はＣＱＩパイロットチャネルフィードバックに基づいて計算されるかもしれない。これらの信号品質はユーザをクラスタ化することに関連して用いられるかもしれない（その結果、コードブックを維持する）。より詳細には、ＳＤＭＡモードにある各アクセス端末はコードブック内の特定のＳＤＭＡクラスタ内に保持されている好ましいビームインデックスを通知するかもしれない。同じＳＤＭＡクラスタに対応するアクセス端末は、実質的に同じグループに配置される。ここで、グループ内のユーザは直交性を保ったままスケジューリングされる（それらはオーバラップしない）。これは同じＳＤＭＡクラスタ内のビームは類似の空間的特性を有するかもしれないからであり、従って、これらのビームを利用するアクセス端末は類似の空間特性を有ると思われ、オーバラップされるべきではない。９０８において、第１および第２のチャネルツリーはコードブックの内容に基づいて更新される。例えば、同じグループ内のユーザは同じチャネルツリー上でスケジューリングされるかもしれない。別々のグループのユーザは、時間-周波数資源を共有するかもしれず、その結果、別々のチャネルツリーでスケジューリングされるかもしれない。手順９００は９１０で完了する。
【００３７】
図１０に変わり、無線通信環境における資源割当のための手順１０００を例示する。手順１０００は１００２で始まり、１００４において第１のアクセス端末がＳＤＭＡ利用の候補であることが決定される。例えば、アクセス端末がＳＤＭＡ利用の候補であることを決定するために、コードブックが維持され、かつ解析されるかもしれない。詳細な一例において、アクセス端末がＳＤＭＡを利用することができるくらいの十分な距離を本質的に異なるアクセス端末から空間的に隔てられていることが決定されるかもしれない。１００６において、第１のアクセス端末は１つ以上のホップポートに割り当てられ、１００８において、１つ以上のホップポートは第１のチャネルツリーの１つ以上の周波数範囲にマッピングされる。しかし、ホップポートはアクセス端末を割り当てられる前に周波数へマッピングされるかもしれないこと、および手順１０００の動作の順序が状況および／または実施に依存して変わるかもしれないことが理解される。１０１０において、第２のアクセス端末がＳＤＭＡ使用の候補であることが決定され、１０１２において、第２のアクセス端末は１つ以上のホップポートに割り当てられる。１０１４において、第２のアクセス端末に関係づけられる１つ以上のホップポートは、第１のアクセス端末に関係づけられる１つ以上のホップポートがマッピングされる同じ（複数の）周波数範囲にマッピングされる。このことは、第１のアクセス端末および第２のアクセス端末が時間-周波数資源を共有することを可能にする。手順１０００は１０１６で完了する。
【００３８】
図１１に代表的な多重接続無線の通信システムを例示する。多重接続無線通信システム１１００は複数のセル、例えばセル１１０２、１１０４、および１１０６を含む。図１１に例示される代表的なシステムにおいて、各セル１１０２、１１０４、および１１０６は複数のセクタを含むアクセスポイントを含むかもしれない。複数のセクタは、それぞれがセルの一部にあるアクセス端末と交信する役割を持つアンテナ群によって形成される。セル１１０２において、アンテナ群１１１２、１１１４、および１１１６それぞれは異なるセクタに対応する。セル１１０４において、アンテナ群１１１８、１１２０、および１１２２それぞれは異なるセクタに対応する。セル１１０６において、アンテナ群１１２４、１１２６、および１１２８それぞれは異なるセクタに対応する。
【００３９】
各セルは、各アクセスポイントの１つ以上のセクタと交信しているいくつかのアクセス端末を含む。例えば、アクセス端末１１３０および１１３２がアクセスポイント（または、基地局）１１４２と交信しており、アクセス端末１１３４および１１３６がアクセスポイント１１４４と交信しており、およびアクセス端末１１３８および１１４０がアクセスポイント１１４６と交信している。
【００４０】
図１１に例示するように、各アクセス端末１１３０、１１３２、１１３４、１１３６、１１３８、および１１４０は、同じセル内の他の各アクセス端末とは、そのそれぞれのセル内の異なる部分に位置している。さらに、各アクセス端末は、交信している対応するアンテナ群から異なる距離にあるかもしれない。これらの双方の要因は、セル内の環境または他の状態にも起因して、各アクセス端末とそれが交信している対応するアンテナ群との間に種々のチャネル状態を引き起こす。
【００４１】
ここで用いられるように、アクセスポイントは端末と交信するために用いられる固定局であるかもしれない。また、基地局、ノードＢまたは他の用語でも呼ばれるかもしれないし、それらのいくつかのもしくはすべての機能を含むかもしれない。アクセス端末はユーザ設備（ＵＥ）、無線通信機器、端末、移動局、アクセス端末または他の用語で呼ばれるかもしれないし、それらのいくつかのもしくはすべての機能を含むかもしれない。
【００４２】
一例において、既知のビームの１つのセットは、ＳＤＭＡ、例えば、固定または適応型セクタを提供するために基地局で利用されるかもしれない。基地局がすべてのユーザにとって最良のビームを知っている場合、異なるユーザが異なるビームでデータを受信することになっていれば、基地局は異なるユーザに同じチャネルを割り当てることができる。別の例において、システム１１００は無プレコーディングに対応する無指向性ビームを含むかもしれない。基地局はこのビームを放送またはマルチキャスト送信に用いるだろう。さらに別の例において、そのようなチャネル情報がユーザに通知される場合、システム１１００はＳＤＭＡのないプレコーディングを利用するかもしれない。
【００４３】
ＳＤＭＡインデックスは比較的ゆっくり変化するかもしれないパラメータであるかもしれない。これは、ＳＤＭＡインデックスを計算するために用いる（複数の）インデックスは移動機器によって測定されるかもしれないユーザの空間的統計値を取得することが原因で起こるかもしれない。この情報は、移動機器によって選ばれるビームを計算し、このビームを基地局へ示すために、移動機器によって用いられるかもしれない。送信機においてこのチャンネルを知っていると、電力配分がなくとも、特に送信アンテナの数ＴＭが受信アンテナの数ＲＭより大きいシステムに対しては容量が向上する。容量向上はチャネルの固有ベクトルの方向に送信することによって得られる。チャンネルをフィードバックすることはオーバーヘッドを必要とする。
【００４４】
ＳＤＭＡは送信機においてスケジューリングの完全な柔軟性を可能とする十分豊富なビームのセットを提供する。ユーザは何らかのフィードバックメカニズムによって基地局に信号を送るビームに関してスケジューリングされる。特定のビームがユーザをスケジューリングするために用いられる場合、効率的なスケジューリングのために送信機は各ユーザのチャンネル品質情報を有しているべきである。
【００４５】
図１２に代表的な無線通信システム１２００を例示する。３セクタの基地局１２０２は複数のアンテナ群を含んでおり、１つはアンテナ１２０４および１２０６を含み、別の群はアンテナ１２０８および１２１０を含み、さらに第３の群はアンテナ１２１２および１２１４を含む。各アンテナ群について２個のアンテナだけを例示するが、しかし、より多いまたはより少ないアンテナが各アンテナ群に利用されるかもしれない。移動機器１２１６はアンテナ１２１２および１２１４と交信している。ここでアンテナ１２１２および１２１４は移動機器１２１６へ順方向リンク１２１８上で情報を送信し、移動機器１２１６から逆方向リンク１２２０上で情報を受信する。移動機器１２２２はアンテナ１２０４および１２０６と交信しており、アンテナ１２０４および１２０６は移動機器１２２２へ順方向リンク１２２４上で情報を送信し、移動機器１２２２から逆方向リンク１２２６上で情報を受信する。
【００４６】
アンテナの各グループおよび／またはそれらがその中で交信するように指定された領域は基地局１２０２のセクタと呼ばれるかもしれない。例えば、アンテナグループそれぞれは、基地局１２０２によってカバーされた領域のセクタ内の移動機器と通信するように設計されるかもしれない。基地局は、端末と交信するために用いられる固定局であるかもしれない。また、アクセスポイント、ノードＢ、または他の用語で呼ばれるかもしれない。移動機器は移動局、ユーザ設備（ＵＥ）、無線通信機器、端末、アクセス端末、ユーザ機器、ハンドセット、または他の用語で呼ばれるかもしれない。
【００４７】
ＳＤＭＡは直交周波数分割多重接続（ＯＦＤＭＡ）システムのような周波数分割システムと共に用いられるかもしれない。ＯＦＤＭＡシステムはシステム帯域幅全体を複数の直交サブバンドに分割する。これらのサブバンドはトーン、搬送波、副搬送波、ビンおよび／または周波数チャンネルと呼ばれる。各サブバンドはデータで変調されるかもしれない副搬送波に関係づけられている。ＯＦＤＭＡシステムは、複数のユーザ機器に対する複数のデータ伝送間で直交性を得るために時間および／または周波数分割多重を用いるかもしれない。ユーザ機器のグループは、別々のサブバンドを割り当てられるかもしれない。また、各ユーザ機器に対するデータ伝送はこのユーザ機器へ割り当てられた（複数の）サブバンドで送られるかもしれない。
【００４８】
図１３に無線通信環境におけるシステム容量を向上させるためにＳＤＭＡを利用するシステム１３００を例示する。システム１３００は、当業者に認識されるように基地局におよび／またはユーザ機器にあるかもしれない。システム１３００は、例えば、１つ以上の受信アンテナから信号を受信する受信機１３０２を含み、受信信号への通常の動作（例えばフィルタリング、増幅、ダウンコンバート、・・・）を実行し、さらにサンプルを得るために、調整された信号をディジタル化する。復調器１３０４は、受信パイロットシンボルを復調しチャンネル推定のためのプロセッサ１３０６へ出力する。
【００４９】
プロセッサ１３０６は受信機部品１３０２によって受信された情報を解析しおよび／または送信機１３１４による送信のための情報を生成するための専用のプロセッサであるかもしれない。プロセッサ１３０６はシステム１３００の１つ以上の部分を制御するプロセッサ、および／または受信機１３０２で受信した情報を解析し、送信機１３１４で送信するための情報を生成し、システム１３００の１つ以上の部分を制御するプロセッサであるかもしれない。システム１３００はビーム割当を調整する最適化部品１３０８を含むかもしれない。最適化部品１３０８はプロセッサ１３０６に組み入れられるかもしれない。最適化部品１３０８がビームにユーザ機器を割り当てることに関してユーティリティベースの解析を実行する最適化コードを含むかもしれないことが認識されるだろう。最適化コードは、ユーザ機器のビーム割当最適化に関して、推論および／または確率的決定および／または統計ベースの決定を実行することに加えて人工知能ベースの方法を利用するかもしれない。
【００５０】
システム（ユーザ装置）１３００は、プロセッサ１３０６と動作的に接続され、かつビームパターン情報に関する情報と、それに関する情報を備えたルックアップテーブルと、ここに述べたようなビーム成形に関する適切な情報とを格納するメモリー１３１０をさらに含むかもしれない。メモリー１３１０は、システム１３００がシステム容量を増加するための格納プロトコルおよび／またはアルゴリズムを用いることができるように、ルックアップテーブル等を生成することに関係づけられたプロトコルをさらに格納するかもしれない。ここに説明されたデータ格納（例えば、メモリー）部品が揮発性メモリーもしくは不揮発性メモリーのいずれかであるかもしれないし、または揮発性および不揮発性メモリーの双方を含むかもしれないことが認識されるだろう。限定ではなく例示として、不揮発性メモリーは読み出し専用メモリー（ＲＯＭ）、プログラマブルＲＯＭ（ＰＲＯＭ）、電気的プログラム可能ＲＯＭ（ＥＰＲＯＭ）、電気的消去可能ＲＯＭ（ＥＥＰＲＯＭ）、またはフラッシュメモリーを含むかもしれない。揮発性メモリーは外部キャッシュメモリーとして動作するランダムアクセスメモリー（ＲＡＭ）を含むかもしれない。限定ではなく例示として、ＲＡＭは、同期式ＲＡＭ（ＳＲＡＭ）、ダイナミックＲＡＭ（ＤＲＡＭ）、同期式ＤＲＡＭ（ＳＤＲＡＭ）、ダブルデータレートＳＤＲＡＭ（ＤＤＲ  ＳＤＲＡＭ）、高速ＳＤＲＡＭ（ＥＳＤＲＡＭ）、シンクリンクＤＲＡＭ（ＳＬＤＲＡＭ）、およびダイレクトラムバスＲＡＭ（ＤＲＲＡＭ）のような多くの形式で入手可能である。対象のシステムおよび方法のメモリー１３１０はこれらのおよび任意の他の適切な形式のメモリーを非限定的に含むように意図されている。プロセッサ１３０６はシンボル変調器１３１２および変調信号を送信する送信機１３１４に接続される。
【００５１】
図１４に無線通信環境におけるシステム容量を増加させるためにＳＤＭＡを利用するシステムを例示する。システム１４００は、１つ以上の受信アンテナを経由して１つ以上のユーザ機器１４０４からの（複数の）信号を受信する受信機１４１０を有する基地局１４０２を含み、複数の送信アンテナ１４０８を介して１つ以上のユーザ機器１４０４へ送信する。一例において、受信アンテナ１４０６および送信アンテナ１４０８は単一セットのアンテナを用いて実施されるかもしれない。受信機１４１０は受信アンテナ１４０６から情報を入力するかもしれない。また受信情報を復調する復調器１４１２と動作的に接続されている。例えば、受信機１４１０は、当業者に認識されるように、レイク受信機（例えば複数のベースバンド相関器を用いてマルチパス信号成分を個別に処理する技術）、ＭＭＳＥベースの受信機、または割り当てられたユーザ機器を分離するための他の適切な受信機であるかもしれない。例えば、複数の受信機（例えば、１受信アンテナ当たり１個）を用いることができ、またそのような受信機はユーザデータの改善された推定値を出力するために相互に交信するかもしれない。復調されたシンボルは、図１３を参照して上述したプロセッサに類似したプロセッサ１４１４によって解析され、ユーザ機器割当に関する情報、それに関するルックアップテーブル等を格納するメモリー１４１６に出力される。各アンテナに対する受信機の出力は受信機１４１０および／またはプロセッサ１４１４によって連係して処理されるかもしれない。変調器１４１８は、送信機１４２０により送信アンテナ１４０８を介してユーザ機器１４０４へ送信する信号を多重化するかもしれない。
【００５２】
基地局１４０２は、割当用部品１４２２をさらに含む。割当用部品はプロセッサ１４１４とは別のプロセッサまたはその一部であるかもしれない。また割当用部品は基地局１４０４が利用されているセクタ内のすべてのユーザ機器のプールを評価し、個々のユーザ機器の位置に少なくとも一部基づいてユーザ機器をビームへ割り当てるかもしれない。
【００５３】
図１５に多重接続無線通信システム１５００における送信機および受信機を例示する。無線通信システム１５００は簡潔さのために１つの基地局および１つのユーザ機器を表す。しかし、システムが１つより多い基地局および／または１つより多いユーザ機器を含むかもしれないことが認識されるだろう。ここで、追加的基地局および／またはユーザ機器は以下に説明する代表的基地局およびユーザ機器と実質的に同じかまたは異なるかもしれない。さらに、基地局および／またはユーザ機器がここに記述されたシステムおよび／または方法を用いて、それらの間の無線通信を容易にするかもしれないことが認識されるだろう。
【００５４】
送信機システム１５１０において、多数のデータストリームに対するトラヒックデータは、データ源１５１２から送信（ＴＸ）データプロセッサ１５１４へ提供される。一例において、各データストリームはそれぞれの送信アンテナで送信されるかもしれない。ＴＸデータプロセッサ１５１４は符号化されたデータを出力するために、各データストリームに対するトラヒックデータを、そのデータストリームに対して選択された特定のコーディング方式に基づいて、フォーマットし、符号化し、インタリーブする。例えば、ＴＸデータ処理装置１５１４はビーム成形用重みを、シンボルが送信されているユーザに基づいてデータストリームのシンボルへ、およびシンボルが送信されているアンテナへ適用するかもしれない。いくつかの実施例において、ビーム成形用重みは、アクセスポイントとアクセス端末の間の伝送経路の状態を表すチャンネル応答情報に基づいて生成されるかもしれない。チャンネル応答情報は、ＣＱＩ情報またはユーザによって提供されたチャンネル推定値を利用して生成されるかもしれない。さらに、スケジューリングされた送信の場合において、ＴＸデータプロセッサ１５１４はユーザから送信されるランク情報に基づいてパケットフォーマットを選択するかもしれない。
【００５５】
各データストリーム用の符号化されたデータはＯＦＤＭ技術を用いてパイロットデータに多重化される。通常、パイロットデータは、既知の方法で処理されかつ受信システムにおいてチャネル応答を推定するために用いられるかもしれない既知のデータパターンである。各データストリームに対する多重化されたパイロットおよび符号化されたデータは、変調シンボルを出力するためにそのデータストリームに対して選択された特定の変調方式（例えば、ＢＰＳＫ、Ｍ-ＰＳＫ、またはＭ-ＱＡＭ）に基づいて変調（例えばシンボルマップ）される。各データストリームに対するデータレート、コーディング、および変調は、プロセッサ１５３０により提供されると実行される命令で決定されるかもしれない。いくつかの実施例において、並列空間ストリームの数はユーザから送信されるランク情報に従って変えられるかもしれない。
【００５６】
データストリームに対する変調シンボルは、変調シンボル（例えば、ＯＦＤＭ用）をさらに処理するかもしれないＴＸ  ＭＩＭＯプロセッサ１５２０へ出力される。ＴＸ  ＭＩＭＯプロセッサ１５２０は、ＮＴ個のシンボルストリームをＮＴ個の送信機（ＴＭＴＲ）１５２２ａ乃至１５２２ｔへ出力する。例えば、ＴＸ  ＭＩＭＯプロセッサ１５２０は、ビーム成形用重みを、シンボルを送信されているユーザに基づいて、データストリームのシンボルへ、およびそのユーザのチャネル応答情報に基づいてシンボルを送信しているアンテナへ適用するかもしれない。
【００５７】
各送信機１５２２は１つ以上のアナログ信号を出力するためにそれぞれのシンボルストリームを受信し処理し、さらに、ＭＩＭＯチャネルでの送信に適した変調信号を出力するためにそのアナログ信号を調整（例えば増幅、フィルタリング、アップコンバート）する。送信機１５２２ａ乃至１５２２ｔからのＮＴ個の変調信号はそれぞれＮＴ個のアンテナ１５２４ａ乃至１５２４ｔから送信される。
【００５８】
受信機システム１５５０において、送信された変調信号はＮＲ個のアンテナ１５５２ａ乃至１５５２ｒによって受信され、各アンテナ１５５２からの受信信号はそれぞれの受信機（ＲＣＶＲ）１５５４へ出力される。各受信機１５５４はそれぞれの受信信号を調整（例えば、フィルタリング、増幅、ダウンコンバート）し、調整された信号を、サンプルを出力するためにディジタル化し、さらに対応する「受信」シンボルストリームを出力するためにサンプルを処理する。
【００５９】
次に、ＲＸデータプロセッサ１５６０は、「検出された」シンボルストリームのランク数を出力するために特定の受信機処理技術に基づいて、ＮＲ個の受信機１５５４からのＮＲ個の受信シンボルストリームを入力し処理する。以下にＲＸデータプロセッサ１５６０による処理をより詳細に説明する。各検出されたシンボルストリームは、対応するデータストリームに対して送信された変調シンボルの推定値であるシンボルを含む。次にＲＸデータプロセッサ１５６０は、各検出されたシンボルストリームを復調し、デインタリーブし、復号することにより、データストリームのトラヒックデータを復元する。ＲＸデータプロセッサ１５６０による処理は、送信機システム１５１０におけるＴＸ  ＭＩＭＯプロセッサ１５２０およびＴＸデータプロセッサ１５１４によって実行される処理と相補的である。
【００６０】
ＲＸプロセッサ１５６０で生成されるチャネル応答推定は受信機における空間、空間／時間処理、電力レベルの調整、変調レートまたは方式の変更、または他の動作を実行するために用いられるかもしれない。ＲＸプロセッサ１５６０は、検出されたシンボルストリームの信号対干渉雑音電力比（ＳＮＲ）、およびおそらく他のチャネル特性をさらに推定するかもしれない。またこれらの値をプロセッサ１５７０へ出力する。ＲＸデータプロセッサ１５６０またはプロセッサ１５７０はシステムに対する「等価」ＳＮＲの推定値をさらに導出するかもしれない。次に、プロセッサ１５７０は、通信リンクおよび／または受信データストリームに関する種々の形式の情報を含むかもしれない推定チャネル情報（ＣＳＩ）を出力する。例えば、ＣＳＩは動作ＳＮＲのみを含むかもしれない。次に、ＣＳＩは、データ源１５７６から多くのデータストリーム用のトラヒックデータを入力するＴＸデータプロセッサ１５３８により処理され、変調器１５８０によって変調され、送信機１５５４ａ乃至１５４４ｒによって調整され、送信機システム１５１０へ送信される。
【００６１】
送信機システム１５１０において、受信機システム１５５０からの変調信号がアンテナ１５２４で受信され、受信機１５２２によって調整され、復調器１５４０によって復調され、受信機システムによって通知されたＣＳＩを復元するためにＲＸデータプロセッサ１５４２によって処理される。次に、通知されたＣＳＩはプロセッサ１５３０に出力され、さらに（１）データレート並びにデータストリームに対して用いられるコーディングおよび変調方式を決定するため、および（２）ＴＸデータプロセッサ１５１４およびＴＸ  ＭＩＭＯプロセッサ１５２０に対する種々の制御を生成するために用いられる。
【００６２】
受信機において、ＮＴ個の送信シンボルストリームを検出するために、種々の処理技術がＮＲ個の受信信号を処理するために用いられるかもしれない。これらの受信機の処理技術は２つの主カテゴリーにグループ分けされるかもしれない。すなわち（ｉ）空間、および空間-時間受信機処理技術（これらは等化技術とも呼ばれる）、および（ｉｉ）「順次ヌリング／等化および干渉消去」受信機処理技術（これは「順次干渉消去」または「順次消去」受信機処理技術とも呼ばれる）である。
【００６３】
ＮＴ個の送信アンテナおよびＮＲ個の受信アンテナによって形成されるＭＩＭＯチャネルは、ＮＳ≦ｍｉｎ｛ＮＴ，ＮＲ｝のＮＳ個の独立したチャネルに分解されるかもしれない。ＮＳ個の独立チャネルの各々はＭＩＭＯチャネルの空間サブチャネル（または伝送チャネル）と呼ばれるかもしれない。また、次元に一致する。
【００６４】
ソフトウェアの実施において、ここに説明される技術は、ここに説明される機能を実行するモジュール（例えば、プロシージャー、機能等）で実施されるかもしれない。ソフトウェアコードは、メモリーユニットに格納され、プロセッサによって実行されるかもしれない。メモリーユニットはプロセッサ内部または外部で実施されるかもしれない。その場合メモリーユニットは、当業者に既知の種々の手段を介してプロセッサに通信的に接続されるかもしれない。
【００６５】
ここに説明された実施例がハードウェア、ソフトウェア、ファームウェア、ミドルウェア、マイクロコード、または、それらの任意の組合せで実施されるかもしれないことが理解されるだろう。ハードウェアの実施において、アクセスポイントまたはアクセス端末内の処理ユニットは、１つ以上の特定用途向ＩＣ（ＡＳＩＣ）、ディジタル信号プロセッサ（ＤＳＰ）、ディジタル信号処理デバイス（ＤＳＰＤ）、プログラマブル論理回路（ＰＬＤ）、フィールドプログラマブルゲートアレイ（ＦＰＧＡ）、プロセッサ、制御器、マイクロコントローラ、マイクロプロセッサ、ここに説明した機能を実行するように設計された他の電子ユニット、またはそれらの組合せ内で実施されるかもしれない。
【００６６】
システムおよび／または方法がソフトウェア、ファームウェア、ミドルウェアまたはマイクロコード、プログラムコードまたはコードセグメントで実施される場合、それらは記憶部品のような機械可読媒体に格納されるかもしれない。コードセグメントはプロシージャー、関数、サブプログラム、プログラム、ルーチン、サブルーチン、モジュール、ソフトウェアパッケージ、クラス、または命令、データ構造、もしくはプログラム文の任意の組合せを表すかもしれない。コードセグメントは、情報、データ、引数、パラメータ、またはメモリー内容を引き渡しおよび／または入力することによって、別のコードセグメントまたはハードウェア回路と接続されるかもしれない。情報、引数、パラメータ、データ等は、メモリー共有、メッセージ引き渡し、トークンパッシング、ネットワーク伝送等を含む任意の適切な手段を用いて、引き渡され、転送され、または送信されるかもしれない。
【００６７】
ソフトウェアの実施において、ここに説明された技術は、ここに説明された機能を実行するモジュール（例えば、プロシージャー、機能など）で実施されるかもしれない。ソフトウェアコードは、メモリーユニットに格納され、プロセッサによって実行されるかもしれない。メモリーユニットはプロセッサの内部またはプロセッサの外部で実施されるかもしれない。この場合メモリーユニットは当業者に既知の種々の手段によってプロセッサと通信的に接続されるかもしれない。
【００６８】
上で説明されたことは請求内容の例を含む。そのような内容を説明する目的のために構成要素または手順の考えうるありとあらゆる組合せを説明することは可能でないことは当然であるが、通常の当業者は多くの更なる組合せおよび置き換えが可能であることを認めるかもしれない。従って、請求内容は、添付された請求項の精神と範囲の中にあるそのようなすべての変更、修正、および変形を受け入れるように意図されている。さらに、用語「含む」が詳細な説明または請求項のいずれかで用いられていれば、そのような用語は、用語「備えた」にいわば類似して、包含的であることが意図されている。「備えた」は用いられると、請求項内の移行句として解釈されるからである。
【図面の簡単な説明】
【００６９】
【図１】無線通信環境において資源割当を容易にするシステムの高次ブロック図。
【図２】チャネルツリーを示す図。
【図３】チャネルツリーのベースノードを示す図。
【図４】２つの別々のチャネルツリーのベースノードを表す図。この図は時間-周波数資源を割り当てる特定の一方法を例示する。
【図５】２つの別々のチャネルツリーのベースノードを表す図。この図は時間-周波数資源を割り当てる特定の一方法を例示する。
【図６】２つの別々のチャネルツリーのベースノードを表す図。この図は時間-周波数資源を割り当てる特定の一方法を例示する。
【図７】無線通信環境において資源を割り当てるために用いられるかもしれない無線通信装置を示す図。
【図８】無線通信環境において時間-周波数資源を割り当てるための方法を例示するフローチャートを示す図。
【図９】コードブックの内容の関数としてチャネルツリーを更新するための方法を例示するフローチャートを示す図。
【図１０】複数のチャネルツリーにおいて複数のホップポートを複数の周波数範囲にマッピングするための方法を例示するフローチャートを示す図。
【図１１】代表的無線通信システムを例示する図。
【図１２】代表的無線通信システムの実例を示す図。
【図１３】無線通信環境においてシステム容量を増加させるためにビーム成形を利用するシステムを例示する図。
【図１４】無線通信環境においてシステム容量を増加させるためにビーム成形を利用するシステムを例示する図。
【図１５】ここに説明された種々のシステムおよび方法と共に用いられるかもしれない無線通信環境を例示する図。
【図１】
2009514451.tif 000003
【図２】
2009514451.tif 000004
【図３】
2009514451.tif 000005
【図４】
2009514451.tif 000006
【図５】
2009514451.tif 000007
【図６】
2009514451.tif 000008
【図７】
2009514451.tif 000009
【図８】
2009514451.tif 000010
【図９】
2009514451.tif 000011
【図１０】
2009514451.tif 000012
【図１１】
2009514451.tif 000013
【図１２】
2009514451.tif 000014
【図１３】
2009514451.tif 000015
【図１４】
2009514451.tif 000016
【図１５】
2009514451.tif 000017
【国際調査報告】
2009514451.tif 000018
2009514451.tif 000019
2009514451.tif 000020